(57)【要約】【課題】液晶パネルをより簡易な構成としつつもトラッキング制御時において同液晶パネルによる収差の補正を適切に行う。【解決手段】レーザ光源１１０から照射されたレーザ光Ｌ１は、コリメータレンズ１１２によって平行光線となり、ＰＢＳ（偏光ビームスプリッタ）１１４に入射する。そして、ＰＢＳ１１４で反射されたレーザ光Ｌ２は、液晶パネル１２０を通過する際に位相が調整されてレーザ光Ｌ３となる。そして、このレーザ光Ｌ３は、１／４波長板１３０において円偏光のレーザ光Ｌ４となる。そして、レーザ光Ｌ４は、対物レンズ１４０によって集光され、光ディスク２００のディスクカバー層２１０を通過してディスク記録層２２０に結像する。トラッキング制御時、対物レンズ１４０の変位量に応じて、液晶パネル１２０を回転させる。【選択図】        図２
2004334990.tif 000002
【特許請求の範囲】
【請求項１】
光源からのレーザ光を光ディスク上へ集光させるレンズと、前記光ディスク上に集光されるレーザ光の収差を補正する液晶パネルとを備え、前記レンズを変位させることでトラッキングを行う光ピックアップにおいて、
前記トラッキングに際して、前記光ディスクと前記光源との間に備えられる前記レンズ以外の光学系の配置を更に変更することで、前記レンズ及び前記液晶パネルのそれぞれにおける前記レーザ光の透過状態を略一定に保つ保持手段を備える
ことを特徴とする光ピックアップ。
【請求項２】
前記レンズ以外の光学系の配置を変更する手段は、前記レンズを変位させる手段とは別の部材からなる
請求項１記載の光ピックアップ。
【請求項３】
前記液晶パネルは、前記レンズと前記光源との間に備えられており、前記保持手段は、前記トラッキングに際して前記液晶パネルを前記レンズの変位量に応じて回転させるものである
請求項２記載の光ピックアップ。
【請求項４】
前記光学系として、前記レンズと前記光源とに透明な平行平板を備えており、前記保持手段は、前記トラッキングに際して前記平行平板を前記レンズの変位量に応じて回転させるものである
請求項２記載の光ピックアップ。
【請求項５】
請求項４記載の光ピックアップにおいて、
前記平行平板は、前記光源と前記液晶パネルとの間に備えられており、
前記保持手段は、前記レンズと前記液晶パネルとの相対的な位置関係を保持するように前記液晶パネルを更に変位させる
ことを特徴とする光ピックアップ。
【請求項６】
前記液晶パネルは、前記レーザ光の光軸に対して略軸対称な形状を有する電極を備える
請求項１〜５のいずれかに記載の光ピックアップ。
【発明の詳細な説明】
【０００１】
【発明の属する技術分野】
本発明は、光源からのレーザ光を光ディスク上へ集光させるレンズを変位させることでトラッキングを行う光ピックアップに関する。
【０００２】
【従来の技術】
光ディスクとの間でレーザの照射やレーザの受光を行う光ピックアップの中には、例えばＣＤ（Ｃｏｍｐａｃｔ  Ｄｉｓｃ）とＤＶＤ（Ｄｉｇｉｔａｌ  Ｖｅｒｓａｔｉｌｅ  Ｄｉｓｃ）のように光学的に互いに異なる光ディスク間で併用されるものがある。しかし、こうしたＣＤとＤＶＤのように異なる光ディスク間で併用される光ピックアップにあっては、光ディスク上に照射されるレーザに収差が生じるという問題がある。
【０００３】
この収差は、ＤＶＤがＣＤに比べてデータの記録密度が高いために、光源からのレーザを光ディスクに集光させる対物レンズの開口数ＮＡが大きくなっていることに起因して生じる。また、この収差は、光ディスクの記録層をカバーする保護層であるカバー層の厚さが、ＣＤでは「１．２ｍｍ」であるのに対してＤＶＤでは「０．６ｍｍ」であるというように、ＣＤよりもＤＶＤのカバー層の方が薄いことに起因しても生じる。
【０００４】
こうした収差を抑制すべく、ＣＤ及びＤＶＤで互いに異なる対物レンズを使用することが考えられる。しかし、この場合、光ピックアップの構造が複雑となり、また、同光ピックアップの小型化を妨げる要因ともなる。
【０００５】
そこで従来は、例えば下記特許文献１に見られるように、光源及び光ディスク間の光路に液晶パネルを備えるとともに、同液晶パネル内の液晶の配向状態を制御することで収差を補償することも提案されている。図１２に、こうした光ピックアップの構成を示す。
【０００６】
この光ピックアップにおいて、レーザ光の往路は次のようになっている。まず、レーザ光源１０から照射されたレーザ光Ｌ１は、コリメータレンズ１２によって平行光線となり、ＰＢＳ（偏光ビームスプリッタ）１４に入射する。そして、ＰＢＳ１４で反射されたレーザ光Ｌ２は、液晶パネル２０を通過する際に位相が調整されてレーザ光Ｌ３となる。そして、このレーザ光Ｌ３は、１／４波長板３０において円偏光のレーザ光Ｌ４となる。そして、レーザ光Ｌ４は、対物レンズ４０によって集光され、光ディスク１のディスクカバー層１ａを通過してディスク記録層１ｂに結像する。
【０００７】
また、上記光ピックアップにおいて、レーザ光の復路は次のようになっている。光ディスク１のディスク記録層１ｂで反射した円偏光を有するレーザ光は、対物レンズ４０において平行光であるレーザ光Ｌ４となる。そして、このレーザ光Ｌ４は、１／４波長板３０において直線偏光したレーザ光Ｌ３となる。そして、液晶パネル２０を通過後、ＰＢＳ１４に入射する。このＰＢＳ１４に入射したレーザ光Ｌ２は、往路とは逆の直線偏光した光であるため、ＰＢＳ１４を通過する。そして、このＰＢＳ１４を通過したレーザ光は、対物レンズ５０によって受光器５２に集光される。
【０００８】
ここで、光ディスク１のディスクカバー層１ａの厚さがＣＤ及びＤＶＤで異なるために、これらのうちの一方に併せて光ピックアップを設計する場合、他方において主として同心円上の収差が生じる。そこで、上記光ピックアップにおいては、液晶パネル２０を制御回路６０によって制御することで、この収差を補正するようにしている。
【０００９】
図１３（ａ）は、液晶パネル２０の有する電極を示している。図１３（ａ）に示されるように、液晶パネル２０の電極２１は、細かい碁盤目状に電極が配置されて（図中、１０×１０個の電極を例示）構成されている。
【００１０】
図１３（ｂ）に、上記同心円状の収差を補正すべく、電極へ電圧を印加した際に生じる液晶パネル２０内の液晶の屈折率の分布を示す。図１３（ｂ）においては、ハッチングの違いが屈折率の違いを示している。同図１３（ｂ）に示されるように、レーザ光Ｌ２の中心に対して対称的な屈折率のパターンを形成することで、同心円状の収差を補正することができる。
【００１１】
ところで、光ピックアップは、光ディスク１内の螺旋状のトラックに追従してレーザを照射するとはいえ、光ピックアップの動作のみで光ディスク１上の適切な位置にレーザを照射するトラッキング制御を行うことは容易ではない。特に、光ディスク１を記録装置や再生装置に装着する際に回転軸に対してわずかに偏心が生じることがあり、また、ディスク自体も偏心を有することがあるため、上記トラッキング制御は困難である。
【００１２】
そこで、通常、光ピックアップ内においては、対物レンズ４０を光ディスク１の径方向に微小（例えば「０．４ｍｍ」）変位させることができるようになっている。そして、このように対物レンズ４０を光ピックアップ内で変位させることで、トラッキング制御を適切に行うようにしている。
【００１３】
ただし、対物レンズを変位させることでトラッキング制御を行うと、同対物レンズ４０と液晶パネル２０との間に相対的なずれが生じる。そこで、上記光ピックアップでは、図１３（ｃ）に示すように、液晶パネル２０の電極２１に印加する電圧のパターンを制御することで、同液晶パネル２０内の液晶による屈折率分布をレーザ光Ｌ２の照射位置に対応させるようにしている。これにより、対物レンズ４０を変位させる場合であれ、液晶パネル２０を用いて収差を適切に補正することができる。
【００１４】
【特許文献１】
特開平９−１２８７８５号公報
【００１５】
【発明が解決しようとする課題】
ところで、上記光ピックアップでは、トラッキング制御に伴って対物レンズ４０を変位させる場合であれ、液晶パネル２０によって収差を適切に補正することができるとはいえ、電極２１のパターンが複雑になるという問題がある。特に、収差を正確に補正しようとするほど、液晶パネルの電極を細かく分割する必要が生じる。こうした電極の分割は、電極パターンの複雑化につながるばかりか、各電極間の間隙の増大を招き、結果として液晶が動作しない領域の増加につながることともなる。
【００１６】
本発明はこうした実情に鑑みてなされたものであり、その目的は、液晶パネルをより簡易な構成としつつもトラッキング制御時において同液晶パネルによる収差の補正を適切に行うことのできる光ピックアップを提供することにある。
【００１７】
【課題を解決するための手段】
以下、上記目的を達成するための手段及びその作用効果について記載する。
請求項１記載の発明は、光源からのレーザ光を光ディスク上へ集光させるレンズと、前記光ディスク上に集光されるレーザ光の収差を補正する液晶パネルとを備え、前記レンズを変位させることでトラッキングを行う光ピックアップにおいて、前記トラッキングに際して、前記光ディスクと前記光源との間に備えられる前記レンズ以外の光学系の配置を更に変更することで、前記レンズ及び前記液晶パネルのそれぞれにおける前記レーザ光の透過状態を略一定に保つ保持手段を備えることをその要旨とする。
【００１８】
上記構成では、光ディスクと光源との間に備えられるレンズ以外の光学系の配置を更に変更することで、レンズ及び液晶パネルのそれぞれにおけるレーザ光の透過状態が略一定に保たれる。このため、レーザ光の収差を補正するための液晶パネルの配向状態をトラッキング制御に起因して可変とすることを回避することができる。したがって、液晶パネルをより簡易な構成としつつもトラッキング制御時において同液晶パネルによる収差の補正を適切に行うことができるようになる。
【００１９】
請求項２記載の発明は、請求項１記載の発明において、前記レンズ以外の光学系の配置を変更する手段は、前記レンズを変位させる手段とは別の部材からなることをその要旨とする。
【００２０】
上記構成によれば、配置を変更する手段とレンズを変位させる手段とが別の部材からなるために、レンズを変位させる手段に要求される力の増大を回避することができ、ひいては、同手段によるレンズの変位を応答性のよいものとすることができるようになる。
【００２１】
請求項３記載の発明は、請求項２記載の発明において、前記液晶パネルは、前記レンズと前記光源との間に備えられており、前記保持手段は、前記トラッキングに際して前記液晶パネルを前記レンズの変位量に応じて回転させるものであることをその要旨とする。
【００２２】
上記構成では、液晶パネルを回転させることで、液晶パネルへの入射光と出射光とを互いに平行光線としつつも、その光軸を離間させることができる。このため、レンズの変位量に応じて液晶パネルを回転させることで、レンズの変位にかかわらずレンズ内を透過するレーザ光の透過状態を略一定とすることができる。更に、液晶パネルを回転させることによる同液晶パネル内でのレーザ光の透過状態の変化は無視できる設定とすることが可能である。このため、液晶パネル内部の配向状態をトラッキング制御に応じて可変とすることなく収差の補正を的確に行うことができるようになる。
【００２３】
なお、上記液晶パネルの回転軸は、液晶パネルと光軸との交点を通り、且つレンズの変位方向と光軸とによってはられる平面に直交する直線と略一致させることが望ましい。
【００２４】
そして、この際には、液晶パネルを一対の透明基板間に液晶が充填されることで構成するとともに、光源側の透明基板の厚さがレンズ側の透明基板の厚さよりも薄く設定するようにしてもよい。
【００２５】
請求項４記載の発明は、請求項２記載の発明において、前記光学系として、前記レンズと前記光源とに透明な平行平板を備えており、前記保持手段は、前記トラッキングに際して前記平行平板を前記レンズの変位量に応じて回転させるものであることをその要旨とする。
【００２６】
上記構成では、平行平板を回転させることで、平行平板への入射光と出射光とを互いに平行光線としつつも、その光軸を離間させることができる。このため、レンズの変位量に応じて平行平板を回転させることで、レンズの変位にかかわらずレンズ内を透過するレーザ光の透過状態を略一定とすることができる。そして、この際、例えば
Ａ．請求項５記載されるように、請求項４記載の光ピックアップにおいて、前記平行平板は、前記光源と前記液晶パネルとの間に備えられており、前記保持手段は、前記レンズと前記液晶パネルとの相対的な位置関係を保持するように前記液晶パネルを更に変位させる構成。
Ｂ．光源と平行平板との間に液晶パネルを配置する構成。
とすることで、液晶パネルについても、その内部でのレーザ光の透過状態を略一定に保つことができる。このため、液晶パネル内部の配向状態をトラッキング制御に応じて可変とすることなく収差の補正を的確に行うことができるようになる。
【００２７】
なお、上記平行平板の回転軸は、平行平板と光軸との交点を通り、且つレンズの変位方向と光軸とによってはられる平面に直交する直線と略一致させることが望ましい。
【００２８】
請求項６記載の発明は、請求項１〜５のいずれかに記載の発明において、前記液晶パネルは、前記レーザ光の光軸に対して略軸対称な形状を有する電極を備えることをその要旨とする。
【００２９】
レーザ光の収差は、光軸から離間するほど生じやすい。
この点、上記構成によれば、液晶パネル内の液晶の配向状態をレーザ光の光軸に対して軸対称に制御することが簡易となる。そして、これにより、液晶パネル内の屈折率分布を光軸に対して簡易に軸対称とすることができるようになる。したがって、上記液晶パネルを用いることで、レーザ光の収差を好適に補正することができるようになる。
【００３０】
【発明の実施の形態】
（第１の実施形態）
以下、本発明にかかる光ピックアップをＣＤ及びＤＶＤの双方に用いられる光ピックアップに適用した第１の実施形態について、図面を参照しつつ説明する。
【００３１】
図１に、本実施形態にかかる光ピックアップについて、光ディスクの再生装置や記録装置内での配置態様を示す。
同図１に示されるように、光ピックアップ１００は、光ディスク２００の下方に配置されている。そして、同光ピックアップ１００は、スライダモータ３００によって光ディスクの径方向に、すなわち光ディスク２００の外周方向Ｏ及び内周方向Ｉに変位可能となっている。
【００３２】
図２に、光ピックアップ１００の構成を示す。この光ピックアップ１００において、レーザ光の往路は次のようになっている。まず、レーザ光源１１０から照射されたレーザ光Ｌ１は、コリメータレンズ１１２によって平行光線となり、ＰＢＳ（偏光ビームスプリッタ）１１４に入射する。そして、ＰＢＳ１１４で反射されたレーザ光Ｌ２は、液晶パネル１２０を通過する際に位相が調整されてレーザ光Ｌ３となる。そして、このレーザ光Ｌ３は、１／４波長板１３０において円偏光のレーザ光Ｌ４となる。そして、レーザ光Ｌ４は、対物レンズ１４０によって集光され、光ディスク２００のディスクカバー層２１０を通過してディスク記録層２２０に結像する。
【００３３】
また、上記光ピックアップ１００において、レーザ光の復路は次のようになっている。光ディスク２００のディスク記録層２２０で反射した円偏光を有するレーザ光は、対物レンズ１４０において平行光であるレーザ光Ｌ４となる。そして、このレーザ光Ｌ４は、１／４波長板１３０において直線偏光したレーザ光Ｌ３となる。そして、液晶パネル１２０を通過後、ＰＢＳ１１４に入射する。このＰＢＳ１１４に入射したレーザ光Ｌ２は、往路とは逆の直線偏光した光であるため、ＰＢＳ１１４を通過する。そして、このＰＢＳ１１４を通過したレーザ光は、対物レンズ１５０によって受光器１５２に集光される。
【００３４】
ここで、上記液晶パネル１２０の構成について説明する。
同図２に示すように、液晶パネル１２０は、平行平板からなる一対の透明基板１２１、１２２と、これら一対の透明基板１２１、１２２間に充填される液晶１２３（例えばツイストネマティック（ＴＮ）液晶）とを備えている。そして、これら透明基板１２１、１２２に形成される透明電極への電圧の印加状態を液晶パネル制御回路１６０によって操作することで、液晶１２３の配向状態を制御する。
【００３５】
図３（ａ）に、上記透明基板１２１、１２２の電極パターンを、また図３（ｂ）に液晶パネル１２０の屈折率分布をそれぞれ示す。
図３（ａ）に示されるように、上記透明基板１２１、１２２の電極は、液晶パネル１２０の中心部（レーザ光Ｌ２の中心部）の円形の透明電極１２４と、その外側のリング状の透明電極１２５とを備えている。そして、透明電極１２４の外径はレーザ光Ｌ２によってカバーされる大きさに、また、透明電極１２５の内径はレーザ光Ｌ２をカバーする大きさにそれぞれ設定されている。
【００３６】
そして、上記透明基板１２１、１２２のうちの一方の電極を接地するとともに、他方の電極に電圧を印加することで、液晶１２３の屈折率の分布は図３（ｂ）に示すようになる。このように、液晶パネル１２０を透過するレーザ光の外側において液晶１２３の屈折率を大きくすることで、収差を適切に補正することができる。これは、液晶パネル１２０がない場合、収差はレーザ光の中央部においては出にくく、外側に出やすいためである。
【００３７】
なお、上記電極へ印加する電圧の大きさは、例えば先の図２に示した受光器１５２によって受光されるレーザ光に基づいてフィードバック制御するなどして可変制御される。
【００３８】
次に、上記光ピックアップ１００のトラッキング制御について説明する。
先の図１に示したように、光ピックアップ１００は、スライダモータ３００によって光ディスク２００の径方向に変位可能となっている。そして、光ピックアップ１００では、光ディスク２００内の螺旋状のトラックに追従してレーザを適切に照射するトラッキング制御のために、更に、先の図２に破線にて示すように、上記対物レンズ１４０を光ピックアップ１００内において微小に変位させる。
【００３９】
詳しくは、このトラッキング制御は、受光器１５２において受光されたレーザ光に基づき、光ピックアップ１００に対して外付けされた制御回路４００によって行われる。詳しくは、この制御回路４００は、３ビーム法や、プッシュプル法等によって受光器１５２によって受光されるレーザ光からトラッキングの誤差を示す信号を取り出し、該誤差を低減するようにフィードバック制御を行うものである。なお、こうした３ビーム法やプッシュプル法については、例えば「コンパクトディスク読本（改訂３版）、中島平太郎、小川博司  共著（オーム社）」等を参照。
【００４０】
ちなみに、上記対物レンズ１４０を変位させる機構は、例えば図４に示すようなものでよい。すなわち、対物レンズ１４０を収納するホルダに取り付けられるトラッキングコイル１４１ａ、１４１ｂを挟んで対向する位置にトラッキング用磁石１４２ａ、１４２ｂを配置する。そして、トラッキングコイル１４１ａ、１４１ｂに電流Ｉａ、Ｉｂを流すと、トラッキング用磁石１４２ａ、１４２ｂ間に生じる磁界Ｂと電流Ｉａ、Ｉｂとの相互作用により、電流Ｉａ、Ｉｂに垂直なトラッキング推進力Ｆが生じる。このトラッキング推進力Ｆの方向、大きさは、電流Ｉａ、Ｉｂの方向、大きさにより調整される。
【００４１】
更に、上記トラッキング制御に際しては、先の図２に示すように、光ピックアップ１００内での上記対物レンズ１４０の変位量に応じて液晶パネル１２０を回転制御する。ここでは、まず上記液晶パネル１２０を回転させる機構について説明する。
【００４２】
図５（ａ）では、先の図２と同様、液晶パネル１２０と、同液晶パネル１２０を回転させる軸１２６とを便宜的に重ね書きして示している。同図５（ａ）に示すように、軸１２６の中心（液晶パネル１２０の回転軸）は、レーザ光の光軸ＢＬと液晶パネル１２０の透明基板１２１の底面との交点を通り、対物レンズ１４０の変位方向と光軸ＢＬとによってはられる平面に直交する直線上にある。
【００４３】
また、図５（ｂ）では、液晶パネル１２０がホルダ１２７に収納された状態を示している。ちなみに、この図５（ｂ）は、図５（ａ）と同一の側面から見た図である。
【００４４】
更に、図５（ｃ）は、図５（ｂ）に直交する側面図を、換言すれば、レーザ光の光軸ＢＬと液晶パネル１２０の回転軸とを含む面についての断面図を示す。同図５（ｃ）に示すように、上記軸１２６は、ホルダ１２７と一体となっている。そして、このホルダ１２７は、液晶パネル１２０の側面を覆うと共に、同液晶パネル１２０の縁部を支持するような構成となっている。このため、液晶パネル１２０のうちレーザ光を入射、及び出射する部分は、ホルダ１２７に対して露出している。
【００４５】
図６に、この液晶パネル１２０を回転させる機構について示す。
同図６に示されるように、上記ホルダ１２７に一体的に形成されている軸１２６は、回転移動用ホルダ１２６ｈと一体的に形成されている。そして、この回転移動用ホルダ１２６ｈには、回転移動用コイル１２８ａ〜１２８ｄが取り付けられている。更に、これら回転移動用コイル１２８ａ〜１２８ｄを挟んで、回転移動用磁石１２９ａ、１２９ｂが互いに対向するようにして配置されている。これら回転移動用磁石１２９ａ、１２９ｂ間には、磁界ＲＢが生じる。そして、回転移動用コイル１２８ａ〜１２８ｄに電流を流すとともにこの電流値を操作することで、軸１２６の回転状態を、換言すれば液晶パネル１２０の回転状態を制御することができる。
【００４６】
こうした図５及び図６に示した構成により、液晶パネル１２０を、上記対物レンズ１４０の変位に応じて回転制御することができる。そして、これにより、トラッキング制御により光ピックアップ１００内において対物レンズ１４０が変位する場合であれ、先の図３に示した電極パターンを用いて収差の補正を適切に行うことが可能となる。
【００４７】
すなわち、先の図２に破線にて示すように、光ピックアップ１００内において対物レンズ１４０が変位した場合には、液晶パネル１２０を対物レンズ１４０の変位量に応じて回転させることで、液晶パネル１２０から出射するレーザ光Ｌ４′を対物レンズ１４０の中心に略一致させることができる。換言すれば、対物レンズ１４０の変位にかかわらず同対物レンズ１４０内を透過するレーザの透過状態を略一定とすることができる。
【００４８】
しかも、液晶パネル１２０の回転にかかわらず、同液晶パネル１２０内を透過するレーザ光の透過状態は略一定に保たれる。以下、これについて説明する。
図７に、液晶パネル１２０の拡大図を示す。同図７において、液晶１２３の厚さｔ３は、透明基板１２１の厚さｔ１及び透明基板１２２の厚さｔ２よりも十分に薄くなっている。また、透明基板１２１、１２２は、例えば共に同一の材質からなるガラス基板等から形成されることで、同一の屈折率を有する。このため、液晶パネル１２０は全体として平行平板と見なすことができる。このため、液晶パネル１２０に入射するレーザ光Ｌ２と液晶パネル１２０から出射するレーザ光Ｌ３とは互いに略平行となる。
【００４９】
ここで、レーザ光Ｌ２とレーザ光Ｌ３との平行移動距離を距離Ｄとする。このレーザ光Ｌ３は、対物レンズ１４０の中心に照射されるようになっている。また、液晶パネル１２０の透明基板１２１の基板面の法線Ｎについて、同透明基板１２１の液晶１２３側の面との交点を点ｎｌとする。更に、液晶パネル１２０内のレーザ光Ｌ２′について、透明基板１２１の液晶１２３側の面との交点を点ｒｌとする。そして、このとき、点ｎｌと点ｒｌとの距離ｄ、法線Ｎとレーザ光Ｌ２′とのなす角を角度θ２、レーザ光Ｌ２と法線Ｎとのなす角を角度θ１、透明基板１２１、１２２の屈折率ｎとすると、上記距離Ｄ、ｄについて、幾何光学的に下式が成り立つ。ただし、距離Ｄの式においては、ｔ３がｔ１、ｔ２に比べて無視できるものとした。
【００５０】
Ｄ＝｛（ｔ１＋ｔ２）×ｓｉｎ（θ１−θ２）｝／ｃｏｓθ２
ｄ＝ｔ１×ｔａｎθ２
ｓｉｎθ１＝ｎ×ｓｉｎθ２
ここで、屈折率ｎを「１．５１」、厚さｔ１を「０．５ｍｍ」、厚さｔ２を「２ｍｍ」、角度θ１を「２５°」とすると、距離Ｄ、ｄはおよそ「０．４ｍｍ」、「０．１５ｍｍ」となる。すなわち、上記対物レンズ１４０が「０．４ｍｍ」変位したとしても、液晶１２３におけるレーザ光Ｌ４′の照射のずれは「０．１５ｍｍ」程度となる。
【００５１】
なお、液晶パネル１２０の厚さ（ｔ１＋ｔ２＋ｔ３）は、厚いほど対物レンズ１４０の変位量を大きくした場合にも対処できるようになる。このため、液晶パネル１２０による収差の補正と対物レンズの変位への追従との双方を適切に行うことのできる範囲で、液晶パネル１２０の厚さを適宜設定することが望ましい。
【００５２】
このように、光ピックアップ１００内において対物レンズ１４０が変位した際に、その変位量に応じて液晶パネル１２０を回転させることで、液晶パネル１２０及び対物レンズ１４０内を透過するレーザ光の透過状態をこれらの変位にかかわらず略一定に保つことができる。したがって、先の図３に示した液晶パネル１２０の電極のパターンを変更することなく収差の補正を行うことが可能となり、ひいては、電極パターンを簡易化することができるようになる。
【００５３】
以上説明した本実施形態によれば、以下の効果が得られるようになる。
（１）光ピックアップ１００内において対物レンズ１４０が変位した際に、その変位量に応じて液晶パネル１２０を回転させた。これにより、電極パターンを簡易化しつつもトラッキング制御を適切に行うことができるようになる。
【００５４】
（２）光ピックアップ１００内で対物レンズ１４０を変位させる手段と、液晶パネル１２０を回転させる手段とを別の部材にて構成することで、同手段による対物レンズの変位を応答性のよいものとすることができるようになる。
【００５５】
（第２の実施形態）
以下、本発明にかかる光ピックアップをＣＤ及びＤＶＤの双方に用いられる光ピックアップに適用した第２の実施形態について、主として第１の実施形態との相違点を中心に図面を参照しつつ説明する。
【００５６】
図８に、本実施形態にかかる光ピックアップの構成を示す。なお、図８では、先の図２に示した部材と同一の部材については便宜上同一の符号を付した。
本実施形態では、液晶パネル１２０は、対物レンズ１４０との相対的な位置関係を保持するようにして変位可能な構成とする。なお、この液晶パネル１２０を変位させる機構としては、例えば先の図４に例示したようなものとしてもよい。
【００５７】
更に、本実施形態では、図８に示すように、液晶パネル１２０及びＰＢＳ１１４間に透明な平行平板１７０を備える。この平行平板１７０は、軸１７２を回転中心として、回転可能な構成となっている。ここで、平行平板１７０を回転させる機構について説明する。
【００５８】
図９（ａ）では、先の図８と同様、平行平板１７０と、同平行平板１７０を回転させる軸１７２とを便宜的に重ね書きして示している。同図９（ａ）に示すように、軸１７２の中心は、レーザ光の光軸ＢＬと平行平板１７０の底面との交点を通り、液晶パネル１２０の変位方向と光軸ＢＬとによって形成される平面に直交する直線上にある。
【００５９】
また、図９（ｂ）では、平行平板１７０がホルダ１７４に収納された状態を示している。ちなみに、この図９（ｂ）は、図９（ａ）と同一の側面から見た図である。
【００６０】
更に、図９（ｃ）は、図９（ｂ）に直交する側面図を、換言すれば、レーザ光の光軸ＢＬと平行平板１７０の回転軸とを含む面についての断面図を示す。同図９（ｃ）に示すように、上記軸１７２は、ホルダ１７４と一体となっている。そして、このホルダ１７４は、平行平板１７０の側面を覆うと共に、平行平板１７０の縁部を支持するような構成となっている。このため、平行平板１７０のうちレーザ光を入射、及び出射する部分は、ホルダ１７４に対して露出している。
【００６１】
なお、こうした平行平板１７０を回転させる機構は、例えば、先の図６に例示したようなものとしてもよい。
そして、トラッキング制御時には、制御回路４１０では、対物レンズ１４０の変位に追従して液晶パネル１２０を追従させるようにする。換言すれば、対物レンズ１４０と液晶パネル１２０との相対的な位置関係を保持するように液晶パネル１２０を変位させる。更に、対物レンズ１４０の変位に応じて平行平板１７０を変位させる。ここでの平行平板１７０の回転量は、平行平板１７０から出射するレーザ光Ｌ２ｂ、換言すれば液晶パネル１２０に入射するレーザ光Ｌ２ｂの同液晶パネル１２０への入射状態を液晶パネル１２０の変位にかかわらず一定とするような回転量とする。
【００６２】
これにより、液晶パネル１２０及び対物レンズ１４０内を透過するレーザ光の透過状態をこれらの変位にかかわらず略一定に保つことができる。特に、平行平板１７０は、液晶パネル１２０のように間に液晶等を含まないため、同平行平板１７０へ入射するレーザ光Ｌ２ａと同平行平板１７０から出射するレーザ光Ｌ２ｂとをより適切に平行光とすることができる。したがって、液晶パネル１２０の電極のパターン図３を変更することなく収差の補正をより適切に行うことが可能となり、ひいては、電極パターンを簡易化することができるようになる。
【００６３】
以上説明した本実施形態によれば、先の第１の実施形態の上記（１）及び（２）に準じた効果に加えて更に以下の効果が得られるようになる。
（３）対物レンズ１４０の変位に応じてレーザ光の経路を平行移動させる手段を平行平板１７０にて構成することで、レーザ光の平行移動をより適切に行うことができる。
【００６４】
（第３の実施形態）
以下、本発明にかかる光ピックアップをＣＤ及びＤＶＤの双方に用いられる光ピックアップに適用した第３の実施形態について、主として第２の実施形態との相違点を中心に図面を参照しつつ説明する。
【００６５】
図１０に、本実施形態にかかる光ピックアップの構成を示す。なお、同図１０において、先の図８と同一の部材については、便宜上同一の符号を付した。
同図１０に示されるように、本実施形態においては、液晶パネル１２０と対物レンズ１４０（１／４波長板１３０）との間に平行平板１７０を配置する。
【００６６】
そして、トラッキング制御に際しては、制御回路４２０において、対物レンズ１４０の変位に応じて平行平板１７０を回転させる。ここでの平行平板１７０の回転量は、平行平板１７０から出射するレーザ光Ｌ３ｂ、換言すれば対物レンズ１４０に入射するレーザ光Ｌ３ｂの同対物レンズ１４０への入射状態を対物レンズ１４０の変位にかかわらず一定とするような回転量とする。
【００６７】
このように、本実施形態では、液晶パネル１２０から出射したレーザ光Ｌ３ａを平行平板１７０によってこれと平行なレーザ光Ｌ３ｂとすることで、液晶パネル１２０については、トラッキング制御においても固定とすることができる。
【００６８】
以上説明した本実施形態によれば、先の第１の実施形態の上記（１）及び（２）の効果や、先の第２の実施形態の上記（３）の効果に加えて、更に以下の効果が得られるようになる。
【００６９】
（４）液晶パネル１２０と対物レンズ１４０（１／４波長板１３０）との間に平行平板１７０を配置することで、液晶パネル１２０については、トラッキング制御においても固定とすることができるようになる。
【００７０】
なお、上記各実施形態は、以下のように変更して実施してもよい。
・液晶パネル１２０の構成としては、上記各実施形態で例示したものに限らない。特に、その電極についても先の図３に例示したものに限らない。要は、レーザ光の収差がその光軸から径方向に離間するほど生じやすくなることに鑑み、液晶パネル内の液晶の配向状態によって生成される屈折率分布をレーザ光の光軸から離間するほど屈折率が大きくなるような略点対称の屈折率分布とすることのできるものであればよい。これは、例えば電極のパターンが光軸に対して点対称となるものを少なくとも１つ備えることで実現することができる。
【００７１】
・光ピックアップの構成としては、上記各実施形態で例示したものに限らない。例えば、先の第１の実施形態において、図１１に示すように、ＰＢＳ１１４を、液晶パネル１２０と１／４波長板１３０との間に設けるようにしてもよい。この場合、レーザ光は、往路においてのみ液晶パネル１２０を透過するため、透明基板１２１の厚さを透明基板１２２の厚さよりも薄くする設定が有効である。すなわち、これにより、往路において液晶パネル１２０の液晶１２３を透過するレーザ光の透過状態がトラッキング制御にかかわらず、略一定となりやすくなる。
【００７２】
・光ピックアップの用途としても、ＣＤとＤＶＤとで併用されるものに限らず、任意の複数種の光ディスク間で併用されるものであればよい。更に、複数種の光ディスクで併用されるものにも限らず、要は、収差補正のために液晶パネルを備えるとともに、トラッキング制御のためにレンズを光ピックアップ内で変位させるものであればよい。
【００７３】
・光ディスク上にレーザ光を集光させるレンズを変位させるトラッキングに際して、光ディスクと光源との間に備えられる同レンズ以外の光学系の配置を変更することで、レンズ及び液晶パネルのそれぞれにおけるレーザ光の透過状態を略一定に保つ保持手段としては、上記各実施形態で例示したものに限らない。
【００７４】
【発明の効果】
液晶パネルをより簡易な構成としつつもトラッキング制御時において同液晶パネルによる収差の補正を適切に行うことができるようになる。
【図面の簡単な説明】
【図１】本発明にかかる光ピックアップの第１の実施形態の構成を示す斜視図。
【図２】同実施形態にかかる光ピックアップの構成を示すブロック図。
【図３】同実施形態の液晶パネルの構成を示す図。
【図４】同実施形態の対物レンズを変位させる機構の構成を示す斜視図。
【図５】同実施形態にかかる液晶パネル周辺の機構の構成を示す図。
【図６】同実施形態にかかる液晶パネルを回転させる機構の構成を示す斜視図。
【図７】液晶パネルへのレーザ光の照射状態を示す断面図。
【図８】本発明にかかる光ピックアップの第２の実施形態の構成を示すブロック図。
【図９】同実施形態にかかる平行平板周辺の機構の構成を示す図。
【図１０】本発明にかかる光ピックアップの第３の実施形態の構成を示すブロック図。
【図１１】上記第１の実施形態の変形例を示すブロック図。
【図１２】従来の光ピックアップの構成を示すブロック図。
【図１３】従来の液晶パネル内の備える電極パターンを示す図。
【符号の説明】
１００…光ピックアップ、１１０…レーザ光源、１１２…コリメータレンズ、１１４…偏光ビームスプリッタ（ＰＢＳ）、１２０…液晶パネル、１２１、１２２…透明基板、１２３…液晶、１２４、１２５…透明電極、１２６…軸、１２６ｈ…回転移動用ホルダ、１２８ａ〜１２８ｄ…回転移動用コイル、１２７…ホルダ、１２９ａ、１２９ｂ…回転移動用磁石、１３０…１／４波長板、１４０…対物レンズ、１４１ａ、１４１ｂ…トラッキングコイル、１４２ａ、１４２ｂ…トラッキング用磁石、１５０…対物レンズ、１５２…受光器、１６０…液晶パネル制御回路、１７０…平行平板、１７２…軸、１７４…ホルダ、２００…光ディスク、２１０…ディスクカバー層、２２０…ディスク記録層、３００…スライダモータ、４００、４１０、４２０…制御回路。
【図１】
2004334990.tif 000003
【図２】
2004334990.tif 000004
【図３】
2004334990.tif 000005
【図４】
2004334990.tif 000006
【図５】
2004334990.tif 000007
【図６】
2004334990.tif 000008
【図７】
2004334990.tif 000009
【図８】
2004334990.tif 000010
【図９】
2004334990.tif 000011
【図１０】
2004334990.tif 000012
【図１１】
2004334990.tif 000013
【図１２】
2004334990.tif 000014
【図１３】
2004334990.tif 000015